(57)【要約】      （修正有）【課題】内部にパンフレットその他の複数個の物品を収納するための収納空間を備えたケースにおいて、収納空間内の物品の内容等を示す印刷物を近接させて設け、店頭等における宣伝効果を増すケースを提供する。【解決手段】起立させた状態で正面を向く前壁１と、前記前壁１との間に前記収納空間ＳＰを形成する後壁２と、起立させた状態で前記収納空間ＳＰの上面を塞ぐ頂壁と、起立させた状態で前記収納空間ＳＰの左右の側面をそれぞれ塞ぐ両側壁４と、起立させた状態で前記収納空間ＳＰの下面を塞ぐ底壁５とを具備させ、前記頂壁、及びその頂壁に連続し表面に印刷が施された表示部１ａを備えた前壁１の一部を切り取るための切り取り線１ｂを設け、この切り取り線１ｂを破断させて切り取った前記頂壁及び表示部１ａを有する前壁１の一部を前記表示部１ａが前壁１及び後壁２の上方に露出した状態で後壁２に取り付けるための取付部をさらに後壁２の上部に設けて該ケースを構成する。【選択図】図２
0003164199.tif 000002
【実用新案登録請求の範囲】
【請求項１】
内部に複数の物品を収納するための収納空間を備え、起立させることが可能な箱状のものであって、起立させた状態で正面を向く前壁と、前記前壁との間に前記収納空間を形成する後壁と、起立させた状態で前記収納空間の上面を塞ぐ頂壁と、起立させた状態で前記収納空間の左右の側面をそれぞれ塞ぐ両側壁と、起立させた状態で前記収納空間の下面を塞ぐ底壁とを具備してなり、前記頂壁、及びその頂壁に連続し表面に印刷が施された表示部を備えた前壁の一部を切り取るための切り取り線を有し、この切り取り線を破断させて切り取った前記頂壁及び表示部を有する前壁の一部を前記表示部が前壁及び後壁の上方に露出した状態で後壁に取り付けるための取付部を後壁の上部に設けてなることを特徴とするケース。
【請求項２】
前記切り取り線が前壁の周縁近傍に位置する請求項１記載のケース。
【請求項３】
前記頂壁の後端から垂下して前記後壁の前面に添接しこの頂壁を保持させるため舌片を備えているとともに、前記切り取り線がこの舌片をも切り取るものであり、前記取付部が、この舌片を後壁に設けた切り込みに係り合わせてなるものである請求項１又は２記載のケース。
【請求項４】
前記後壁の下部から切り起こされる倒れ止め用のベースと、前記後壁の上部から切り起こされ、前記ベースを一定の角度に保持するための補強脚とを備えている請求項１、２又は３記載のケース。
【請求項５】
前記前壁と、前記後壁と、前記頂壁と、前記両側壁と、前記底壁とを、１枚のシートを折り曲げて形成した請求項１、２、３又は４記載のケース。
【考案の詳細な説明】
【技術分野】
【０００１】
本考案は、内部にパンフレットその他の複数個の物品を収納するための収納空間を備えたケースに関する。
【背景技術】
【０００２】
従来、内部にパンフレットその他の複数個の物品を収納するための収納空間を備えたケースの一種として、起立可能であるとともに、その一部を切り取るための切り取り線を有し、切り取り線を破断させて前記収納空間を外部に開放し、その収納空間内の物品を視認可能な状態で陳列することが可能なものが広く知られている（例えば、特許文献１を参照）。
【０００３】
ところで、このようなケースに、収納空間内の物品自体を視認させることに加えて、この物品の内容等を示す印刷物を近接させて設け、店頭等における宣伝効果を増す要望が存在する。従来は、このような要望は、ケースとは全く別の板紙等にこの物品の内容等を印刷ないし手描きし、この板紙等をケースに近接させて配置することにより実現していた。
【０００４】
しかしながら、ケースとは全く別の板紙等に物品の内容等を印刷ないし手描きする場合には、ケース自体の表面のデザインとは別個に、板紙等に印刷ないし手描きする内容のデザインを行う手間を必要とする。
【先行技術文献】
【特許文献】
【０００５】
【特許文献１】特願２００４−１８９３３０号公報
【考案の概要】
【考案が解決しようとする課題】
【０００６】
本考案は、このような課題を解決すべく、少ない手間により、収納空間内の物品の内容等を示す印刷物を近接させて設け、店頭等における宣伝効果を増す要望を実現することを目的とする。
【課題を解決するための手段】
【０００７】
すなわち本考案に係るケースは、内部に複数の物品を収納するための収納空間を備え、起立させることが可能な箱状のものであって、起立させた状態で正面を向く前壁と、前記前壁との間に前記収納空間を形成する後壁と、起立させた状態で前記収納空間の上面を塞ぐ頂壁と、起立させた状態で前記収納空間の左右の側面をそれぞれ塞ぐ両側壁と、起立させた状態で前記収納空間の下面を塞ぐ底壁とを具備してなり、前記頂壁、及びその頂壁に連続し表面に印刷が施された表示部を備えた前壁の一部を切り取るための切り取り線を有し、この切り取り線を破断させて切り取った前記頂壁及び表示部を有する前壁の一部を前記表示部が前壁及び後壁の上方に露出した状態で後壁に取り付けるための取付部を後壁の上部に設けてなることを特徴とする。
【０００８】
このようなものであれば、表示部に予めこの物品の内容等を示す印刷を施し、前記頂壁及び表示部を有する前壁の一部を切り取って後壁の上部に設けた取付部に前記表示部が前壁及び後壁の上方に露出した状態で取り付けることにより、少ない手間でこの物品の内容等を示す印刷物を近接させて設けることができる。
【０００９】
より宣伝効果を増すための好ましい構成として、前記切り取り線が前壁の周縁近傍に位置するものが挙げられる。このようなものであれば、物品のより多くの部分を外部に露出させることができるからである。
【００１０】
また、切り取り線を破断させて切り取った前記頂壁及び表示部を有する前壁の一部を容易に後壁に取り付けるための構成として、前記頂壁の後端から垂下して前記後壁の前面に添接しこの頂壁を保持させるため舌片を備えているとともに、前記切り取り線がこの舌片をも切り取るものであり、前記取付部が、この舌片を後壁に設けた切り込みに係り合わせてなるものが挙げられる。
【００１１】
このケースの奥行き寸法が比較的小さい場合に、このケースを安定して自立させるための構成として、前記後壁の下部から切り起こされる倒れ止め用のベースと、前記後壁の上部から切り起こされ、前記ベースを一定の角度に保持するための補強脚とを備えているものが挙げられる。
【００１２】
そして、少ない部品点数によりこのようなケースを形成するための構成として、前記前壁と、前記後壁と、前記頂壁と、前記両側壁と、前記底壁とを、１枚のシートを折り曲げて形成したものが挙げられる。
【考案の効果】
【００１３】
本考案に係るケースの構成によれば、表示部に予めこの物品の内容等を示す印刷を施し、前記頂壁及び表示部を有する前壁の一部を切り取って後壁の上部に設けた取付部に前記表示部が前壁及び後壁の上方に露出した状態で取付部に取り付けることにより、少ない手間でこの物品の内容等を示す印刷物を近接させて設け、店頭等における宣伝効果を増す要望を実現することができる。
【図面の簡単な説明】
【００１４】
【図１】本考案の一実施形態に係るケースの一使用態様を示す斜視図。
【図２】同実施形態に係るケースの他の使用態様を示す正面側斜視図。
【図３】同実施形態に係るケースの他の使用態様を示す背面側斜視図。
【図４】同実施形態に係るケースの他の使用態様を示す中央縦断面図。
【図５】同実施形態に係るケースの展開図。
【考案を実施するための形態】
【００１５】
本考案の一実施形態を、図１〜図５を参照しつつ説明する。
【００１６】
本実施形態に係るケースＣは、１枚のシートＳを折り曲げて形成したものである。また、このケースＣは、図１〜図４に示すように、内部に複数の物品を収納するための収納空間ＳＰを備え、起立させることが可能な箱状のものであって、起立させた状態で正面を向く前壁１と、前記前壁１との間に前記収納空間ＳＰを形成する後壁２と、起立させた状態で前記収納空間ＳＰの上面を塞ぐ頂壁３と、起立させた状態で前記収納空間ＳＰの左右の側面をそれぞれ塞ぐ両側壁４と、起立させた状態で前記収納空間ＳＰの下面を塞ぐ底壁５とを具備してなる。
【００１７】
具体的には、前記前壁１は、図１〜図４に示すように、上端１ｘで頂壁３と、下端１ｙで底壁５と、さらに左右両端１ｚで側壁４とそれぞれ隣接している。また、その一部に、収納空間ＳＰ内の物品を示す文字や図柄等を示す印刷が施された表示部１ａを有する。さらに、この前壁１の周縁近傍には、この表示部１ａを含む部位を切り取るための切り取り線１ｂを設けている。この切り取り線１ｂは、前記表示部１ａを含む部位を頂壁３と一体的に切り取りやすくすべく、この前壁１の上端の左右両端にも分岐して延びている。また、この前壁１には、前記表示部１ａを含む部位を切り取った後２つ折りにするための折り曲げ線１ｃを設けている。この折り曲げ線１ｃには、予め折り癖を設けている。そして、この前壁１は、前記収納空間ＳＰを挟んで前記後壁２に対向している。
【００１８】
前記後壁２は、図１〜図４に示すように、下端２ｘで底壁５と隣接している。また、この後壁２の下端２ｘからは、倒れ止め用のベース２１を切り起こして設けることができるようにしている。一方、この後壁２の上部からは、このベース２１を一定の角度に保持するための補強脚２２を切り起こして設けることができるようにしている。前記倒れ止め用のベース２１は、このケースＣを起立させた状態で天板面や棚板の表面等に代表される設置面に接する。また、このベース２１からは、前記補強脚２２の後述する左右両側面部２２２に外接しこれらを保持するための第１の脚保持突起２１１と、前記補強脚２２の後述する背面部２２１に外接する第２の脚保持突起２１２とを切り起こして設けることができるようにしている。一方、前記補強脚２２は、後壁２に設けた補強脚折り返し線２ａが上端となるように折り返された状態で前記ベース２１を保持するものであり、前記ベース２１を保持した状態で前記補強脚折り返し線２ａから後下方に延びる背面部２２１と、この背面部２２１の左右両端からそれぞれ前方に延びる左右両側面部２２２とを有する。この補強脚２２の背面部２２１には、前記第２の脚保持突起２１２の先端に設けた係止片２１３と係り合うことが可能な係止片受部２２３を、切り込みを形成することにより設けている。そして、この後壁２には、切り取り線１ｂを破断させて切り取った頂壁３及び表示部１ａを有する前壁１の一部を前記表示部１ａが前壁１及びこの後壁２の上方に露出した状態でこの後壁２に取り付けるための取付部２３を設けている。この取付部２３は、後壁２の上部に設けていて、水平方向に延伸する取付部折り返し線２３ａに沿って折り返されることにより形成される取付片２３１と、この取付片２３１を折り返して形成された際に生じる挿通孔２３２とからなる。そして、この後壁２の上端と、前記頂壁３の後端３ｘとは互いに対向、すなわち互いに突き合うようにしている。ここで、挿通孔２３２が、本発明の切り込みである。
【００１９】
前記頂壁３は、図１〜図４に示すように、前端で前壁１と隣接している。すなわち、この頂壁３の前端は、前壁１の上端１ｘと一致する。また、この頂壁３は、前記前壁１の表示部１ａを含む部位を前記切り取り線１ｂに沿って切り取った際に、前壁１の前記部位と一体に切り離される。ここで、この頂壁３の左右両側縁部には、この頂壁３を前壁１の前記部位と一体に切り離した後、切り離された部位の幅寸法が略全域に亘って等しくなる形状にすべく、前記前壁１の切り取り線１ｂを延長させて設けている。さらに、この頂壁３の後端３ｘからは、切り離される以前の状態において後壁２の収納空間ＳＰ側の面に添接する舌片たる封止片３１を、下方に延伸させて設けている。この封止片３１の先端部には、前記切り取り線１ｂに沿って切り取られた頂壁３及び前記前壁１の表示部１ａを含む部位を後壁２の取付部２３に取り付けるべく前記挿通孔２３２に挿通させることが可能な係止片３１ａを設けている。そして、この頂壁３の左右両端３ｙと、前記両側壁４の上端４ｘとはそれぞれ対向、すなわち互いに突き合うようにしている。
【００２０】
前記側壁４は、図１〜図４に示すように、前記前壁１の左右両端１ｚからそれぞれ後方に延伸している。この側壁４の上下両端４ｘ、４ｙからは、それぞれ相寄る方向に延伸し頂壁３及び底壁５の収納空間ＳＰ側の面にそれぞれ添接可能な上舌片４１及び下舌片４２を設けている。さらに、この側壁４の後端には、後壁２に設けた側壁係止孔２ｂに関わり合うことによりこの側壁４の位置決めを行う位置決め突起４３を設けている。ここで、前記後壁２の左右両側端２ｙからは、この側壁４の収納空間ＳＰ側の面にそれぞれ添接可能な添接片２４を設けていて、前記側壁係止孔２ｂは、厳密にはこの添接片２４と前記後壁２との境界に設けている。さらに、この側壁係止孔２ｂの近傍には、前記位置決め突起４３をこの側壁係止孔２ｂに挿入する際の変形を促進するための切り込み２ｃを設けている。そして、両側壁４の下端４ｙと、前記底壁５の左右両端５ｘとはそれぞれ対向、すなわち互いに突き合うようにしている。
【００２１】
このケースは、例えば、以下の手順で、図５に示すシートから図１に示すような箱状に組み立てられる。
【００２２】
まず、底壁５と前壁１との境界、及び底壁５と後壁２との境界をそれぞれ折り曲げる。次いで、後壁２と添接片２４との境界、前壁１と側壁４との境界、側壁４と上舌片４１との境界、及び側壁４と下舌片４２との境界をそれぞれ折り曲げる。それから、側壁４と位置決め突起４３との境界を折り曲げ、位置決め突起４３を側壁係止孔２ｂに挿入する。その後、前壁１と頂壁３との境界、及び頂壁３と封止片３１との境界を折り曲げ、内部に複数の物品を収納するための収納空間ＳＰが形成された状態とする。そして、収納空間ＳＰの内部に複数の物品を収納した状態で、封止片３１を後壁２の前方に添接させると、収納空間ＳＰの内部に複数の物品を収納した箱状の状態となる。
【００２３】
このケースＣの使用の態様について、以下に述べる。
【００２４】
まず、このケースＣは、図１に示すように、収納空間ＳＰの内部に複数の物品を収納した箱状の状態で、前記物品の梱包材として出荷される。
【００２５】
その後、商店等の出荷先に到着し、物品が陳列される際には、図２〜図４に示すように、前記切り取り線１ｂに沿って前記頂壁３、及びその頂壁３に連続し表面に印刷が施された表示部１ａを備えた前壁１の一部が切り取られる。
【００２６】
また、前記ベース２１が後壁２の下端から切り起こされるとともに、前記補強脚２２が後壁２の上部から切り起こされる。その後、第１及び第２の脚保持突起２１１、２１２がベース２１から切り起こされ、第２の脚保持突起２１２の係止片２１３を、補強脚２２の係止片受部２２３に係り合わせてこのケースＣを自立可能となる。
【００２７】
そして、前記前壁１の折り曲げ線１ｃに沿って該折り曲げ線１ｃより上方の部分を表示部１ａの後方に折り返し、この状態で頂壁３の係止片３１ａを後壁２の挿通孔２３２に挿通させることにより、表示部１ａが前壁１及び後壁２の上方に露出した状態で、前記部分が後壁２に取り付けられる。
【００２８】
以上に述べたように、本実施形態の構成によれば、表示部１ａに、予め収納空間ＳＰ内に収納された物品の内容等を示す印刷を施し、前記頂壁３及び表示部１ａを有する前壁１の一部を切り取って後壁２の上部に設けた後壁２の取付部２３に前記表示部１ａが前壁１及び後壁２の上方に露出した状態で取り付けることにより、少ない手間でこの物品の内容等を示す印刷物を近接させて設けることができる。
【００２９】
また、前記切り取り線１ｂが前壁１の周縁近傍に位置するので、物品のより多くの部分を外部に露出させることができ、従って、より宣伝効果を増すことができる。
【００３０】
さらに、前記頂壁３の後端から垂下して前記後壁２の前面に添接しこの頂壁３を保持させるための封止片３１を備えているとともに、前記切り取り線１ｂがこの封止片３１をも切り取るものであり、この封止片３１の先端の係止片３１ａを後壁２に設けた取付部２３に係り合わせてなるので、切り取り線１ｂを破断させて切り取った前記頂壁３及び表示部１ａを有する前壁１の一部を容易に後壁２に取り付けることができる。
【００３１】
加えて、前記後壁２の下部から切り起こされる倒れ止め用のベース２１と、前記後壁２の上部から切り起こされ、前記ベース２１を一定の角度に保持するための補強脚２２とを備えているので、奥行き寸法が比較的小さなケースＣを安定して自立させることができる。
【００３２】
そして、前記前壁１と、前記後壁２と、前記頂壁３と、前記両側壁４と、前記底壁５とを、１枚のシートＳを折り曲げて形成しているので、少ない部品点数によりこのようなケースＣを形成できる。
【００３３】
なお、本考案は、以上に述べた実施形態に限らない。
【００３４】
例えば、上述した実施形態では、前壁の周縁近傍の位置に切り取り線を設けているが、前壁の周縁から離間した位置に切り取り線を設けてももちろんよい。
【００３５】
また、上述した実施形態では、頂壁の後端から垂下して後壁の前面に添接しこの頂壁を保持させるための舌片を備えているとともに、切り取り線がこの舌片をも切り取るものであり、取付部が、この舌片を後壁に設けた切り込みに係り合わせてなる構成を採用しているが、後壁に設けた切り込みに係り合わせるための舌片を前壁に設けるようにしてももちろんよい。
【００３６】
さらに、上述した実施形態では、後壁の下部から切り起こされる倒れ止め用のベースと、後壁の上部から切り起こされ、前記ベースを一定の角度に保持するための補強脚とを備えているが、ケースの奥行き寸法がある程度大きくケースの底壁を下面にした状態で安定して自立可能なものであれば、このようなベース及び補強脚は必ずしも設けなくてもよい。さらに、ケースの下部と係り合うことによりケースを起立させた状態に保持するケース保持部を備えたベース部材を別途用意し、このベース部材のケース保持部にケースを保持させる態様を採用してもよい。
【００３７】
そして、ケースの前壁、後壁、頂壁、両側壁、及び底壁の全てを１枚のシートを折り曲げて形成する代わりに、これらのうちいずれかを別のシートにより形成してもよい。
【００３８】
その他、本考案の趣旨を損ねない範囲で種々に変更してよい。
【符号の説明】
【００３９】
Ｃ…ケース
１…前壁
１ａ…表示部
１ｂ…切り取り線
２…後壁
２１…ベース
２２…補強脚
２３…取付部
２３２…挿通孔（切り込み）
３…頂壁
３１…封止片（舌片）
４…側壁
５…底壁
【図１】
0003164199.tif 000003
【図２】
0003164199.tif 000004
【図３】
0003164199.tif 000005
【図４】
0003164199.tif 000006
【図５】
0003164199.tif 000007